(57)【特許請求の範囲】
【請求項１】
自動車の前部構造であって、
前記自動車の前部上側を覆うボンネットと、
前記自動車の前部前側を覆うバンパ外装材と、
前記ボンネットの下方且つ前記バンパ外装材の後方に配置され、車幅方向に延びるバンパレインフォースメントと、
前記バンパレインフォースメントの前側に、当該バンパレインフォースメントに沿って設置された緩衝材と、
前記バンパレインフォースメントよりも上方に設置され、エンジンに供給する吸気を取り込む吸気口と、
前記バンパ外装材に設けられ、前記吸気口の下側に離れて位置する外気取入口と、
前記外気取入口から取り込まれる外気を前記吸気口へ導く外気導入路と、
を備え、
前記外気導入路は、
前記緩衝材を上下方向に横断するガイド溝と、
前記ガイド溝の下端の近傍に位置して前記外気取入口と前後に対向し、当該外気取入口から流入する外気を受け止める障壁部と、
を含み、
前記吸気口が、前記ガイド溝の上端の後方に離れて配置されている自動車の前部構造。
【請求項２】
請求項１に記載の自動車の前部構造において、
前記ガイド溝の上端と下端とが車幅方向に互い違いにずれて位置している自動車の前部構造。
【請求項３】
請求項２に記載の自動車の前部構造において、
前記ガイド溝が傾斜しながら上下方向に延びている自動車の前部構造。
【請求項４】
請求項１〜請求項３のいずれか一つに記載の自動車の前部構造において、
前記緩衝材は、
車幅方向の各端部に位置し、上側の縁部から下側の縁部にわたって突出する一対の脚用突出部と、
前記一対の脚用突出部の間に位置し、下側の縁部に沿って前方に突出する膝下用突出部と、
を有し、
前記脚用突出部と前記膝下用突出部との間で前記ガイド溝が構成されている自動車の前部構造。
【請求項５】
請求項１〜請求項４のいずれか一つに記載の自動車の前部構造において、
前記バンパレインフォースメントは、前記ガイド溝と前後方向に少なくとも一部が重なる締結孔を有し、
前記締結孔を露出させる貫通孔が前記緩衝材に形成されることにより、前記ガイド溝に凸凹が形成されている自動車の前部構造。
【請求項６】
請求項１〜請求項５のいずれか一つに記載の自動車の前部構造において、
前記外気導入路における前記外気取入口の近傍に、ガイド部材が配置され、
前記ガイド部材が、
前記ガイド溝の前方下側に位置し、車幅方向に当該ガイド溝を横断して延びる底壁部と、
前記底壁部の後側の縁に沿って上方に張り出し、前記障壁部として機能する後壁部と、
を有している自動車の前部構造。
【発明の詳細な説明】
【技術分野】
【０００１】
本発明は、自動車の前部に設けられる吸気系の構造に関する。
【背景技術】
【０００２】
図１に、自動車の前部構造の一例を示す。自動車の前部１００の前面には、外気を取り込む導風口（グリル）１０１が開口している。導風口１０１の後方には、導風空間１０１ａがあり、その導風空間１０１ａに面してラジエータ１０２が配置されている。
【０００３】
導風空間１０１ａの上側には、衝突時に歩行者を保護する緩衝材１０３が設置されている。ラジエータ１０２の後側にはエンジンルーム１０４が拡がっている。
【０００４】
エンジンルーム１０４に設置されているエンジン１０５から、前方に吸気配管１０５ａが延びている。吸気配管１０５ａの前端は、導風空間１０１ａに臨む吸気口１０５ｂとなっており、この吸気口１０５ｂを通じてエンジン１０５の吸気が行われる。吸気口１０５ｂは、冠水走行時での水の浸入を防ぐために、ラジエータ１０２の上方の、できる限り高い位置に配置されている。吸気配管１０５ａの途中には、エアクリーナ１０５ｃが設置されている。
【０００５】
ラジエータ１０２の後方には、ラジエータファン１０６が設置されている。このラジエータファン１０６は、外気が十分に取り込める通常の走行時には停止しており、アイドリング時や微速走行時など、必要とされる量の外気が取り込めない時に作動する。
【０００６】
本発明に関連する先行技術文献として、特許文献１〜３がある。
【０００７】
特許文献１には、エンジンルームからの熱風の回り込み防止等を目的としたフロントバンパが開示されている。
【０００８】
そこでのフロントバンパは、バンパレインフォースと、その前面に取り付けられる緩衝材であるバンパアブソーバと、これらの前方を覆うバンパカバーで構成されている。バンパリインフォースの後方には、前後に重なったコンデンサ及びラジエータが設置されている。
【０００９】
バンパアブソーバの左右両端部に仕切り板部が設けられていて、これら仕切り板部でバンパカバーの内側にある空間の両端を遮断することにより、その空間を通ってコンデンサ等の前面側に熱風が回り込むのを防いでいる。
【００１０】
特許文献２には、冠水走行時に、吸気口への水の浸入を抑制できるようにした吸気通路構造が開示されている。
【００１１】
詳しくは、車体前部に設置されたラジエータの前方には、空気導入開口部（グリルに相当）が開口している。ラジエータの上方に配置された吸気口に連通するダクトが設けられていて、そのダクトの入口部が、空気導入開口部とは別にその上部に設けられている。
【００１２】
特許文献３には、バンパビーム（バンパレインフォースメントに相当）を前後方向に貫通するダクトを形成し、このダクトを通じてラジエータに外気を送り込むフロントバンパ構造が開示されている。
【先行技術文献】
【特許文献】
【００１３】
【特許文献１】特開２０１０−０４２７８３号公報
【特許文献２】特許第４７３０４１１号公報
【特許文献３】実開昭６３−１０２５５６号公報
【発明の概要】
【発明が解決しようとする課題】
【００１４】
特許文献１のフロントバンパであれば、コンデンサ等の前面側への熱風の回り込みを防止することができるが、エンジンの吸気と熱気との関係についてまでは考慮されていない。特に、アイドリング時等には、熱気が吸気口に吸引され易くなるが、それに対する効果が不十分であるため、改善の余地がある。
【００１５】
すなわち、アイドリング時等、ラジエータファンの作動によって外気の取り込みが行われる場合には、導風空間の圧力は、エンジンルームの圧力よりも低下する。そのため、図１に破線矢印で示すように、エンジンルームの内部の熱気が隙間から漏れ出して導風空間に流入するという問題がある。
【００１６】
吸気口は、導風口から離れて位置しているうえに、構造上、それ自体の空気抵抗も高いため、エンジンルームから導風空間に入り込む熱気を吸引し易い。熱気が吸気口に吸引されると、エンジンの燃料効率の低下やノッキングの発生などを招き、エンジンの出力が低下して燃費が悪化する。
【００１７】
特に、スポーツタイプの車種の場合、デザインや空気抵抗の低減、重心の低下等の要請から、一般的な車種と比べると、ボンネットの位置は低くなっている。それに伴って吸気口の位置も低くならざるを得ない。
【００１８】
吸気口と導風口との間の間隔も狭くなっており、そこにバンパレインフォースメントが位置している。そのため、導風口と吸気口との間での空気抵抗が高くなり、よりいっそう熱気が吸気口に吸引され易い。バンパレインフォースメントに緩衝材が設置されている場合には、尚更である。
【００１９】
それに対し、特許文献２の吸気通路構造のように、空気導入開口部とは別に吸気口専用の外気取入口を設ければ、アイドリング時等にも、熱気を吸引せずに外気だけを吸気口に取り込むことができる。
【００２０】
しかし、特許文献２の吸気通路構造のように、別途ダクトを設けると部品点数が増加し、コストアップや構造の複雑化を招く。特許文献３のように、バンパレインフォースメントに開口を設けるのは、バンパレインフォースメントの剛性や防錆の観点から好ましくない。
【００２１】
また、外気取入口の位置が低いと、それだけ、冠水走行時に、吸気口に水を吸い込み易くなる。スポーツタイプの車種であれば、よりいっそう吸気口に水が浸入し易い。
【００２２】
吸気口が水を吸い込むと、エアクリーナが詰まって吸気不足になり、エンジンの出力が低下する。ウォーターハンマーを招いてエンジンを損傷するおそれもある。
【００２３】
そこで、本発明の目的は、冠水走行時等には、吸気口への水の吸い込みを効果的に防ぐことができ、アイドリング時等には、吸気口への外気の取り込みを効果的に行うことができる自動車を提供することにある。
【課題を解決するための手段】
【００２４】
上記目的を達成するために、本発明では、バンパレインフォースメントに設置されている緩衝材を利用して吸気専用の外気導入路を設け、その外気導入路の構造を工夫することにより、外気取入口から入り込む水と外気とを分離（気液分離）しながら、効率よく吸気口に外気が取り込めるようにした。
【００２５】
具体的には、本発明に係る自動車の前部構造は、前記自動車の前部上側を覆うボンネットと、前記自動車の前部前側を覆うバンパ外装材と、前記ボンネットの下方且つ前記バンパ外装材の後方に配置され、車幅方向に延びるバンパレインフォースメントと、前記バンパレインフォースメントの前側に、当該バンパレインフォースメントに沿って設置された緩衝材と、前記バンパレインフォースメントよりも上方に設置され、エンジンに供給する吸気を取り込む吸気口と、前記バンパ外装材に設けられ、前記吸気口の下側に離れて位置する外気取入口と、前記外気取入口から取り込まれる外気を前記吸気口へ導く外気導入路と、を備える。
【００２６】
前記外気導入路は、前記緩衝材を上下方向に横断するガイド溝と、前記ガイド溝の下端の近傍に位置して前記外気取入口と前後に対向し、当該外気取入口から流入する外気を受け止める障壁部と、を含む。そして、前記吸気口が、前記ガイド溝の上端の後方に離れて配置されている。
【００２７】
すなわち、この自動車では、バンパレインフォースメントの前側に設置された緩衝材に、上下方向に横断するガイド溝が形成されていて、そのガイド溝を介して吸気口の下側に位置する外気取入口から、外気を取り込んで吸気口へ導くようになっているため、短い距離で外気を吸気口に効率よく導くことができる。
【００２８】
外気取入口から吸気口までの距離が短いと、それだけ吸気口に水が浸入し易くなるが、この自動車では、吸気口が、ガイド溝の上端の後方に離れて配置されているので、ガイド溝の上端から流れ出る外気に含まれる水は、その勢いによってガイド溝を延長した方向に飛ばされ、ガイド溝の上端から後方に離れて位置している吸気口に入り込み難くなっている（気液分離作用）。自動車の速度が高くなるほどその効果も高くなる。
【００２９】
従って、短い距離で外気を吸気口に効率よく導きながら、吸気口への水の吸い込みを効果的に防ぐことができる。
【００３０】
更に、前記ガイド溝の上端と下端とが車幅方向に互い違いにずれて位置しているようにするのが好ましい。
【００３１】
通常、緩衝材にガイド溝を構成すると、そのガイド溝の部分だけ、歩行者の保護範囲が狭くなる。それに対し、ガイド溝の上端と下端とを車幅方向に互い違いに形成すると、歩行者の脚とガイド溝とが交差して、脚がガイド溝の両側の緩衝材に接し易くなるため、ガイド溝を形成しても歩行者の保護範囲が狭くなるのを防ぐことができる。
【００３２】
また、ガイド溝の上流側に位置する外気取入口と、ガイド溝の下流側に位置する吸気口との配置の制約がなくなって、周辺機器のレイアウトの自由度が高まる利点もある。
【００３３】
その場合、前記ガイド溝が傾斜しながら上下方向に延びているようにするとよい。
【００３４】
そうすれば、ガイド溝を流れる外気の向きを車幅方向に偏向させることができるので、外気に含まれる水の分離を促進させることができる。
【００３５】
具体的には、前記緩衝材は、車幅方向の各端部に位置し、上側の縁部から下側の縁部にわたって突出する一対の脚用突出部と、前記一対の脚用突出部の間に位置し、下側の縁部に沿って前方に突出する膝下用突出部と、を有し、前記脚用突出部と前記膝下用突出部との間で前記ガイド溝が構成されているようにすることができる。
【００３６】
そうすれば、歩行者の保護と気液分離とを効果的に両立することができる。
【００３７】
より具体的には、前記バンパレインフォースメントは、前記ガイド溝と前後方向に少なくとも一部が重なる締結孔を有し、前記締結孔を露出させる貫通孔が前記緩衝材に形成されることにより、前記ガイド溝に凸凹が形成されているようにしてもよい。
【００３８】
そうすれば、貫通孔を形成することによる歩行者の保護範囲の減少を少なくすることができる。また、ガイド溝を流れる外気の一部を貫通孔に引き込んで、気液分離を促進させることもできる。
【００３９】
より具体的には、前記外気導入路における前記外気取入口の近傍に、ガイド部材が配置され、前記ガイド部材が、前記ガイド溝の前方下側に位置し、車幅方向に当該ガイド溝を横断して延びる底壁部と、前記底壁部の後側の縁に沿って上方に張り出し、前記障壁部として機能する後壁部と、を有しているようにすることもできる。
【００４０】
そうすれば、ガイド部材で外気を円滑に誘導することができる。歩行者がガイド溝に当たる前にガイド部材によって歩行者が受け止められるため、歩行者の荷重を緩衝材におけるガイド溝の左右に分散させることができる点でも有利である。また、後壁部の存在によって外気取入口を通じて内部が見えなくなるため、目隠しとしての効果も得られる。
【発明の効果】
【００４１】
本発明を適用した自動車によれば、冠水走行時等には、吸気口への水の吸い込みを効果的に防ぐことができ、アイドリング時等には、吸気口への外気の取り込みを効果的に行うことができるようになる。
【図面の簡単な説明】
【００４２】
【図１】従来の自動車の前部構造を示す概略断面図である。
【図２】本実施形態の自動車を正面から見た概略図である。
【図３】バンパ外装材を取り外して自動車の前部構造を正面から見た概略図である。
【図４】図２におけるＸ−Ｘ線での概略断面図である。
【図５】図２におけるＹ−Ｙ線での概略断面図である。
【図６】緩衝材の要部を示す概略斜視図である。
【図７】図２におけるＺ−Ｚ線での概略断面図である。
【図８】外気導入路の部分を正面から見た概略図である。
【図９】外気導入路の部分を示す概略斜視図である。
【図１０】ガイド溝の変形例を示す図８相当図である。
【発明を実施するための形態】
【００４３】
以下、本発明の実施形態を図面に基づいて詳細に説明する。ただし、以下の説明は、本質的に例示に過ぎず、本発明、その適用物あるいはその用途を制限するものではない。
【００４４】
図２に、本実施形態の自動車１を正面から見た概略図を示す。同図中、符号２はフロントガラス、符号３はボンネット、符号４はヘッドライト、符号５はバンパフェイス、符号６はグリルカバー、そして、符号７はライセンスプレートである。
【００４５】
この自動車１は、いわゆるスポーツタイプに分類される車種であり、一般的な車種と比べると、全体的に低く、空気抵抗の少ないデザイン性に富んだ外観を有している。ボンネット３の前側は更に低くなっているため、バンパフェイス５の上下幅は非常に狭くなっている。その結果、図２に示すように、バンパフェイス５の上部が標準的な歩行者の脚Ｆで膝の高さに位置する状態となっている。
【００４６】
バンパフェイス５の前面部分は、平面視で、車幅方向の中央部が前方に僅かに膨らむように湾曲した曲面形状に形成されている。バンパフェイス５の車幅方向の中央部には、横長なグリル開口５ａが開口しており、このグリル開口５ａに、グリルカバー６が組み付けられている。グリルカバー６の下部には、自動車１の前部に外気を取り込む横長なグリル８が開口している。
【００４７】
グリルカバー６の上部における車幅方向の各端部には、グリル８とは別に、自動車１の前部に外気を取り込む外気取入口９が開口している。グリルカバー６におけるこれら外気取入口９，９の間の部分にプレート取付部１０が設けられていて、そこにライセンスプレート７が取り付けられている。
【００４８】
図３〜図５に、この自動車１の前部構造を示す。図３は、バンパフェイス５やグリルカバー６等で構成されたバンパ外装材１１を取り外し、自動車１の前部構造を正面から見た概略図である。図４は、図２におけるＸ−Ｘ線での概略断面図であり、図５は、図２におけるＹ−Ｙ線での概略断面図である。いずれの図も部材を簡略化して表してある。
【００４９】
図３等に示すように、自動車１の前部の上側はボンネット３によって覆われており、自動車１の前部の前側はバンパ外装材１１によって覆われている。バンパ外装材１１は、バンパフェイス５やグリルカバー６の他、後述する各部材で構成されている。
【００５０】
ボンネット３の下方かつバンパ外装材１１の後方、更に詳しくは、グリル８の上部近傍かつボンネット３の前端部近傍に、車幅方向に延びるバンパレインフォースメント１２が配置されている。
【００５１】
バンパレインフォースメント１２は、閉断面構造を有する剛性に優れた梁部材であり、その中央部が前方に膨らむように僅かに湾曲している。バンパレインフォースメント１２は、その両端部で支持されている。具体的には、一対のフロントサイドフレーム１３，１３が、車幅方向に離れて前後方向に延びており、これらフロントサイドフレーム１３，１３の先端に、バンパレインフォースメント１２の各端部が、クラッシュカン１４を介して取り付けられている。
【００５２】
図３に示すように、バンパレインフォースメント１２の左側の端部の前面には、アンカボルト等の締結に用いられる締結孔１２ａが設けられている。図２に示すように、バンパフェイス５には、締結孔１２ａと対向する位置に開口が形成されており、その開口が着脱可能なキャップ５ｂで封止されている。
【００５３】
図３及び図４に示すように、自動車１の前部における車幅方向の中央部には、横長なラジエータ１５が設置されている。詳しくは、バンパレインフォースメント１２の後方であって、車幅方向における左右のフロントサイドフレーム１３の間の部分に、ラジエータ１５が設置されている。
【００５４】
ラジエータ１５は、空間を隔ててグリルと前後に対向している。ラジエータ１５の後側には、ラジエータファン１６が配置されている。ラジエータファン１６は、アイドリング時や微速走行時など、ラジエータ１５への外気の供給量が不足する場合に作動する。ラジエータ１５の後方は、エンジン（図示せず）が設置されたエンジンルーム１７となっている。
【００５５】
図５にも示すように、自動車１の前部には、エンジンに供給する吸気を取り込むために、吸気配管１８やエアクリーナ１９が設置されている。吸気配管１８は、この自動車１では車幅方向を右側に偏って配置されている。エアクリーナ１９は、エンジンルーム１７の内部に設置されており、吸気配管１８は、このエアクリーナ１９を介してエンジンの吸気系に接続されている。
【００５６】
吸気配管１８は、エンジンルーム１７から突き出して右側のフロントサイドフレーム１３に沿って前方に延びており、その先端に開口する吸気口１８ａは、バンパレインフォースメント１２の上方かつ後方に位置している。
【００５７】
図３に示すように、バンパレインフォースメント１２の前面の下部近傍であって、吸気口１８ａの前方の下側に離れたところに、右側の外気取入口９が位置している。そして、この外気取入口９と吸気口１８ａとの間には、混入する水を効果的に分離しながら外気を効率よく吸気口１８ａに導く外気導入路２０が形成されている（外気導入路２０の詳細は後述）。
【００５８】
エンジンルーム１７とその前側の部分との間は、シュラウドアッパー２１等によって区画されていて、更に、グリル８とラジエータ１５との間の空間（導風空間）は、ダクト構造２２によって区画されている。
【００５９】
具体的には、壁状のシュラウドアッパー２１が、バンパレインフォースメント１２の下部からラジエータ１５の上端の縁に向かって拡がるように設置されている。シュラウドアッパー２１の上端部は、ボンネット３の内面とシール材を介して密着するようになっており、熱気がエンジンルーム１７の上部から前方に漏れ出すのを防いでいる。
【００６０】
また、一対のサイドパネル２３，２３が、グリル８の左右両側からラジエータ１５の左右両側の縁に向かって拡がるように設置されている。これらサイドパネル２３，２３とシュラウドアッパー２１とにより、グリル８から取り込まれる外気をラジエータ１５に導くダクト構造２２が形成されている。
【００６１】
その結果、エンジンルーム１７からラジエータ１５への熱気の環流が抑制でき、冠水走行時に多量の水が導風空間に入り込んで湧昇しても、吸気口１８ａへの水の浸入が阻止できる。
【００６２】
（緩衝材）
バンパレインフォースメント１２の前側には、衝突時に歩行者を保護する観点から、緩衝材３０が設置されている。
【００６３】
緩衝材３０は、細長い樹脂成形品からなり、弾性を有する発泡樹脂等を用いて形成されている。緩衝材３０は、バンパレインフォースメント１２に沿って車幅方向に延びるように、バンパレインフォースメント１２の前面に取り付けられている。
【００６４】
図３や図６に示すように、緩衝材３０は、バンパレインフォースメント１２の前面に取り付けられる帯板状の基部３０ａや、基部３０ａの両端部に位置する一対の脚用突出部３０ｂ，３０ｂ、これら脚用突出部３０ｂ，３０ｂの間に位置する膝下用突出部３０ｃ、緩衝材３０の取り付けに用いられるフランジ部３０ｄなどで構成されている。
【００６５】
膝下用突出部３０ｃは、基部３０ａの下側の縁部に沿って断面略Ｌ字状に突出する細長い壁状の部位からなる。膝下用突出部３０ｃは、前方に突出するように車幅方向の中央部に配置され、衝突時には、正面からぶつかる歩行者の膝下を受け止めて、歩行者の脚Ｆを上方に逸らし、衝撃を緩和するように設計されている。
【００６６】
各脚用突出部３０ｂは、バンパ外装材１１の湾曲部位に対応するように車幅方向の両側に配置され、衝突時には、非正面からぶつかる歩行者の脚Ｆを受け止めて、歩行者の脚Ｆを側方あるいは上方に逸らし、衝撃を緩和するように設計されている。
【００６７】
具体的には、各脚用突出部３０ｂは、基部３０ａの上側の縁部から下側の縁部にわたって突出しており、図５にも示すように、側方から見て、上側から下側に向かって突出量が次第に大きくなるように、前方に向かって下り傾斜している。更に、図７に示すように、上下方向から見て、車幅方向の外側から内側に向かって突出量が次第に大きくなるように、車幅方向外側に向かって後方に傾斜している。
【００６８】
図７に示すように、各脚用突出部３０ｂは、クラッシュカン１４の前側に位置するように設計されている。肉厚で反発力の高い脚用突出部３０ｂを、剛性が強いクラッシュカン１４の前側に位置させることで、歩行者保護を向上させることができる。
【００６９】
そして、脚用突出部３０ｂと膝下用突出部３０ｃとの間には、外気取入口９から取り込まれる外気を吸気口１８ａへと導くために、緩衝材３０を上下方向に横断するガイド溝３１が形成されている。この自動車１の場合、ガイド溝３１は右側に有ればよいが、成形コストやバランス等の観点から、左側にも左右対称状に形成されている。
【００７０】
ガイド溝３１の車幅方向の両側は、脚用突出部３０ｂや膝下用突出部３０ｃによって区画されており、ガイド溝３１の前側は開放されている。ガイド溝３１の上端と下端は、車幅方向に互い違いにずれて位置するように形成されている。本実施形態のガイド溝３１は、上端が下端に対して車幅方向を内側に偏る方向に傾斜しながら上下方向に延びるように形成されている。
【００７１】
通常、緩衝材３０にこのようなガイド溝３１を構成すると、そのガイド溝３１の部分だけ、歩行者の保護範囲が狭くなる。それに対し、このガイド溝３１のように、上端と下端とを車幅方向に互い違いに形成すると、歩行者の脚Ｆとガイド溝３１とが交差して、脚Ｆがガイド溝３１の両側の緩衝材３０に接し易くなるため、ガイド溝３１を形成しても歩行者の保護範囲が狭くなるのを防ぐことができる。
【００７２】
また、ガイド溝３１の上端と下端とを互い違いにすることで、ガイド溝３１の上流側に位置する外気取入口９と、ガイド溝３１の下流側に位置する吸気口１８ａとの配置の制約がなくなって、周辺機器のレイアウトの自由度が高まる利点もある。
【００７３】
また、ガイド溝３１を流れる外気の向きを車幅方向に偏向させることができるので、それによって、外気に含まれる水の分離を促進させることができる（気液分離）。
【００７４】
更に、ガイド溝３１を、脚用突出部３０ｂと膝下用突出部３０ｃとの間に設けることで、歩行者の保護と気液分離とを効果的に両立することができる。
【００７５】
更に、このガイド溝３１には、気液分離をより促進させるために、凹凸が形成されている。
【００７６】
具体的には、脚用突出部３０ｂとガイド溝３１との境界部分に、これら双方にわたって前後方向に貫通する貫通孔３２が形成されている。この貫通孔３２は、緩衝材３０をバンパレインフォースメント１２に取り付けたときに、締結孔１２ａと前後方向に重なってアンカボルト等が挿通できるように設計されている。
【００７７】
このように、貫通孔３２をガイド溝３１と重ねて配置することにより、貫通孔３２を形成することによる歩行者の保護範囲の減少を少なくすることができる。また、ガイド溝３１を流れる外気の一部を貫通孔３２に引き込んで、気液分離を促進させることもできる。
【００７８】
（外気導入路）
図７〜図９に、外気導入路２０を詳細に示す。図７は、図２におけるＺ−Ｚ線での断面から見た概略図である。図８は、外気導入路２０を正面から見た概略図であり、図９は、外気導入路２０を斜め前方から見た概略斜視図である。
【００７９】
外気導入路２０は、ガイド部材３５やガイド溝３１などによって構成されている。
【００８０】
ガイド部材３５は、図５にも示すように、車幅方向に延びる断面Ｌ字状の部材からなり、帯板状の底壁部３５ａと、底壁部３５ａの後側の縁に沿って上方に張り出す後壁部３５ｂとを有している。ガイド部材３５は、バンパ外装材１１の一部を構成しており、外気取入口９の直ぐ後に設置されている。
【００８１】
図８や図９に示すように、底壁部３５ａは、ガイド溝３１の前方下側に位置し、車幅方向にガイド溝３１を横断して延びるように配置されている。
【００８２】
ガイド部材３５をこのように配置することは、歩行者がガイド溝３１に当たる前に、ガイド部材３５によって歩行者が受け止められて、歩行者の荷重を緩衝材３０におけるガイド溝３１の左右に分散させることができる点で有利である。各脚用突出部３０ｂと前後に対向するバンパ外装材１１の部位が、衝突する歩行者を側方に逸らすように湾曲しているため、より有利となっている。
【００８３】
また、後壁部３５ｂの存在によって外気取入口９を通じて内部が見えなくなるため、目隠しとしての効果も得られる。
【００８４】
図７に示すように、底壁部３５ａの上方には、バンパ外装材１１の張出部１１ａが張り出しており、その張出部１１ａにおけるガイド溝３１の下側部位には、外気導入口３６が上下方向に向いて開口している。
【００８５】
外気導入口３６の直ぐ後上方には、ガイド溝３１の下端が位置している。そして、そのガイド溝３１の上端から後方に離れた位置に吸気口１８ａが位置している。吸気口１８ａに連なる吸気配管１８の先端部分は、ガイド溝３１の傾斜方向に対して逆向きに屈曲するように、後方に向かって車幅方向外側に傾斜している。
【００８６】
後壁部３５ｂは、外気取入口９の近傍に位置して前後に対向しており、外気取入口９から流入する外気を正面から受け止めるように構成されている（障壁部）。
【００８７】
このように、外気導入路２０を短くすると、アイドリング時や微速走行時も含め、吸気口１８ａに外気を取り込み易くなるが、冠水走行時や雨天の高速走行時などには、外気取入口９から外気とともに水が入り込み、吸気口１８ａに水が浸入し易くなる。
【００８８】
そこで、この自動車１の外気導入路２０は、距離が短くても外気だけを効率よく吸気口１８ａに取り込めるように構造が工夫されている。
【００８９】
すなわち、図７に示すように、外気取入口９に入り込む外気は、後壁部３５ｂに衝突する。衝突時の作用によって気液分離作用が得られるため、外気に混入した水を除去することができる（第１の気液分離）。
【００９０】
その後、図７や図９に矢印で示すように、上方に流れが偏向された外気は外気導入口３６を通じてガイド溝３１に入り込む。ガイド溝３１に入り込んだ外気は、ガイド溝３１に沿って更に向きが斜め上方に偏向される。ガイド溝３１を通った外気は、更に向きを変えて後方に向かい、吸気口１８ａに入り込む。
【００９１】
このように、外気の流れる方向を急に偏向させることにより、各所で気液分離作用が得られ、外気に混入した水を除去することができる（第２の気液分離）。また、貫通孔３２に外気の一部が入り込むことによっても更に気液分離が促進される。
【００９２】
ガイド溝３１の上端から流れ出る外気に含まれる水は、その勢いによってガイド溝３１を延長した斜め方向に飛ばされ易いため、ガイド溝３１の上端から後方に離れて位置している吸気口１８ａに入り込み難くなっている（第３の気液分離）。
【００９３】
これらの気液分離作用により、外気取入口９から吸気口１８ａまでの距離が短くても外気だけを効率よく吸気口１８ａに取り込むことができる。
【００９４】
外気導入路は、右側だけでも足りるが、この自動車１では、左側の外気取入口９を通じて外気を吸気口１８ａに導入できるようにもなっている。
【００９５】
すなわち、図３に示すように、左側にも右側と同様に、ガイド溝３１等が設けられている。図３や図４に示すように、膝下用突出部３０ｃの上側には、車幅方向に延びて吸気口１８ａに連通した空間（横断流路３７）が形成されている。
【００９６】
左側の外気導入路２０の場合、外気導入口３６を経てガイド溝３１に流入した外気は、この横断流路３７を通じて吸気口１８ａに入り込む。横断流路３７を通過する間に、十分な気液分離作用を得ることができる。また、右側で分離される水や異物等を横断流路３７に収容することができる点でも有利である。
【００９７】
正面に臨む外気取入口９を左右バランスよく配置して、デザイン性に優れるうえ、吸気口１８ａに導入する外気量を増やすことができる。
【００９８】
（その他）
本発明にかかる自動車の前部構造は、上述した実施形態に限定されず、それ以外の種々の構成をも包含する。
【００９９】
ガイド溝３１の形状は、仕様に応じて適宜変更できる。例えば、図１０に示すように、階段状に形成してもよい。
【０１００】
吸気口１８ａの位置は左側であってもよい。吸気口１８ａとは反対側の外気取入口９は無くてもよい。その場合、緩衝材３０における吸気口１８ａと反対側の部位にはガイド溝３１を設けなくてもよい。貫通孔３２も必須ではない。締結孔１２ａの有る側にだけ貫通孔３２を設けてもよい。
【符号の説明】
【０１０１】
１  自動車
３  ボンネット
５  バンパフェイス
７  ライセンスプレート
８  グリル
９  外気取入口
１１  バンパ外装材
１２  バンパレインフォースメント
１８ａ  吸気口
２０  外気導入路
３０  緩衝材
３１  ガイド溝
３２  貫通孔
３５  ガイド部材
３５ａ  底壁部
３５ｂ  後壁部（障壁部）
３６  外気導入口
【図１】
0006048388.tif 000002
【図２】
0006048388.tif 000003
【図３】
0006048388.tif 000004
【図４】
0006048388.tif 000005
【図５】
0006048388.tif 000006
【図６】
0006048388.tif 000007
【図７】
0006048388.tif 000008
【図８】
0006048388.tif 000009
【図９】
0006048388.tif 000010
【図１０】
0006048388.tif 000011